(57)【要約】  ユーザ装置は、クロスキャリアスケジューリングにおけるスケジューリングするセルから制御リソースセットを受信し、前記制御リソースセットに基づいて、前記スケジューリングするセルのサーチスペースを特定し、スケジューリングされるセルに設定されるサーチスペースから取得するＰＤＣＣＨ（Physical Downlink Control Channel）候補の数を使用して、前記スケジューリングするセルのサーチスペースに含まれるＰＤＣＣＨを復号する制御部と、前記復号されたＰＤＣＣＨに基づいて、クロスキャリアスケジューリングにおけるスケジューリングされるセルからＰＤＳＣＨ（Physical Downlink Shared Channel）を受信する受信部とを有する。
2020157873.tif 000002
【特許請求の範囲】
【請求項１】
クロスキャリアスケジューリングにおけるスケジューリングするセルから制御リソースセットを受信し、前記制御リソースセットに基づいて、前記スケジューリングするセルのサーチスペースを特定し、スケジューリングされるセルに設定されるサーチスペースから取得するＰＤＣＣＨ（Physical Downlink Control Channel）候補の数を使用して、前記スケジューリングするセルのサーチスペースに含まれるＰＤＣＣＨを復号する制御部と、
前記復号されたＰＤＣＣＨに基づいて、クロスキャリアスケジューリングにおけるスケジューリングされるセルからＰＤＳＣＨ（Physical Downlink Shared Channel）を受信する受信部とを有するユーザ装置。
【請求項２】
前記スケジューリングするセルと前記スケジューリングされるセル間のサーチスペースのリンクが有効である場合に、前記スケジューリングされるセルに設定されるサーチスペースからＰＤＣＣＨ候補の数を取得する請求項１記載のユーザ装置。
【請求項３】
前記スケジューリングされるセルに適用されるＰＤＣＣＨを設定する情報は、サーチスペースに係る情報のみが含まれる請求項１記載のユーザ装置。
【請求項４】
前記スケジューリングするセルのＢＷＰ（Bandwidth Part）ごとに、前記スケジューリングされるセルの各ＢＷＰのＰＤＳＣＨに１対１で対応するＰＤＣＣＨを含む複数のサーチスペースが設定される請求項１記載のユーザ装置。
【請求項５】
前記スケジューリングするセルのＢＷＰ（Bandwidth Part）ごとに、前記スケジューリングされるセルの各ＢＷＰのＰＤＳＣＨに対応する複数のＰＤＣＣＨを含む１つのサーチスペースが設定される請求項１記載のユーザ装置。
【請求項６】
クロスキャリアスケジューリングにおけるスケジューリングするセルにおいて制御リソースセットを送信し、前記制御リソースセットに基づいて、前記スケジューリングするセルのサーチスペースを設定し、スケジューリングされるセルに設定されるサーチスペースにおいてＰＤＣＣＨ（Physical Downlink Control Channel）候補の数をユーザ装置に送信し、前記スケジューリングするセルのサーチスペースに含まれるＰＤＣＣＨを前記ユーザ装置に送信する制御部と、
前記ＰＤＣＣＨに基づいて、クロスキャリアスケジューリングにおけるスケジューリングされるセルにおいてＰＤＳＣＨ（Physical Downlink Shared Channel）を前記ユーザ装置に送信する送信部とを有する基地局装置。
【発明の詳細な説明】
【技術分野】
【０００１】
本発明は、無線通信システムにおけるユーザ装置及び基地局装置に関する。
【背景技術】
【０００２】
ＬＴＥ（Long Term Evolution）の後継システムであるＮＲ（New Radio）（「５Ｇ」ともいう。）においては、要求条件として、大容量のシステム、高速なデータ伝送速度、低遅延、多数の端末の同時接続、低コスト、省電力等を満たす技術が検討されている（例えば非特許文献１）。【０００３】
ＬＴＥ又はＮＲでは、複数のキャリアを使用して通信を行うキャリアアグリゲーションが採用されている。ネットワークは、制御信号が送受信されるキャリアとは異なるキャリアでデータ信号が送受信されるクロスキャリアスケジューリングが可能である（例えば非特許文献２）。【０００４】
また、ＮＲでは、キャリアバンド幅の一部をＢＷＰ（Bandwidth part）としてユーザ装置が使用する方法が採用されている。ＢＷＰは、連続したＰＲＢ（Physical Resource Block）から構成される。また、ＢＷＰは、ＤＬ又はＵＬにおいてそれぞれ最大４つまでユーザ装置に設定されることが可能である。複数のＢＷＰが設定された場合、ユーザ装置は１つのアクティブＢＷＰを使用して通信を実行する（例えば非特許文献３）。
【先行技術文献】
【非特許文献】
【０００５】
【非特許文献１】３ＧＰＰ  ＴＳ  ３８．３００  Ｖ１５．４．０（２０１８−１２）
【非特許文献２】３ＧＰＰ  ＴＳ  ３８．２１４  Ｖ１５．４．０（２０１８−１２）
【非特許文献３】３ＧＰＰ  ＴＳ  ３８．２１３  Ｖ１５．４．０（２０１８−１２）
【発明の概要】
【発明が解決しようとする課題】
【０００６】
ＮＲの無線通信システムにおいて、クロスキャリアスケジューリングによるデータを受信するユーザ装置は、スケジューリングするセルにおけるサーチスペースをモニタリングして、スケジューリングされるセルにおけるデータの受信に使用する制御信号を受信する。ユーザ装置は、スケジューリングするセルにおけるサーチスペースをモニタリングする際に必要となる情報を取得する必要があった。【０００７】
本発明は上記の点に鑑みてなされたものであり、クロスキャリアスケジューリング時に復号処理の効率を向上させることを目的とする。
【課題を解決するための手段】
【０００８】
開示の技術によれば、クロスキャリアスケジューリングにおけるスケジューリングするセルから制御リソースセットを受信し、前記制御リソースセットに基づいて、前記スケジューリングするセルのサーチスペースを特定し、スケジューリングされるセルに設定されるサーチスペースから取得するＰＤＣＣＨ（Physical Downlink Control Channel）候補の数を使用して、前記スケジューリングするセルのサーチスペースに含まれるＰＤＣＣＨを復号する制御部と、前記復号されたＰＤＣＣＨに基づいて、クロスキャリアスケジューリングにおけるスケジューリングされるセルからＰＤＳＣＨ（Physical Downlink Shared Channel）を受信する受信部とを有するユーザ装置が提供される。
【発明の効果】
【０００９】
開示の技術によれば、クロスキャリアスケジューリング時に復号処理の効率を向上させることができる。
【図面の簡単な説明】
【００１０】
【図１】本発明の実施の形態における無線通信システムを説明するための図である。
【図２】本発明の実施の形態におけるスケジューリングの例を説明するためのシーケンス図である。
【図３】本発明の実施の形態におけるクロスキャリアスケジューリングの例を説明するための図である。
【図４】本発明の実施の形態におけるＢＷＰに係るスケジューリングの例（１）を説明するための図である。
【図５】本発明の実施の形態におけるＢＷＰに係るスケジューリングの例（２）を説明するための図である。
【図６】本発明の実施の形態におけるスケジューリング動作例を説明するためのフローチャートである。
【図７】本発明の実施の形態におけるＣＯＲＥＳＥＴに係る仕様変更例（１）である。
【図８】本発明の実施の形態におけるＣＯＲＥＳＥＴに係る仕様変更例（２）である。
【図９】本発明の実施の形態における基地局装置１０の機能構成の一例を示す図である。
【図１０】本発明の実施の形態におけるユーザ装置２０の機能構成の一例を示す図である。
【図１１】本発明の実施の形態における基地局装置１０又はユーザ装置２０のハードウェア構成の一例を示す図である。
【発明を実施するための形態】
【００１１】
以下、図面を参照して本発明の実施の形態を説明する。なお、以下で説明する実施の形態は一例であり、本発明が適用される実施の形態は、以下の実施の形態に限られない。
【００１２】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１３】
また、以下で説明する本発明の実施の形態では、既存のＬＴＥで使用されているＳＳ（Synchronization signal）、ＰＳＳ（Primary SS）、ＳＳＳ（Secondary SS）、ＰＢＣＨ（Physical broadcast channel）、ＰＲＡＣＨ（Physical random access channel）、等の用語を使用する。これは記載の便宜上のためであり、これらと同様の信号、機能等が他の名称で呼ばれてもよい。また、ＮＲにおける上述の用語は、ＮＲ−ＳＳ、ＮＲ−ＰＳＳ、ＮＲ−ＳＳＳ、ＮＲ−ＰＢＣＨ、ＮＲ−ＰＲＡＣＨ等に対応する。ただし、ＮＲに使用される信号であっても、必ずしも「ＮＲ−」と明記しない。
【００１４】
また、本発明の実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１５】
また、本発明の実施の形態において、無線パラメータ等が「設定される（Configure）」とは、所定の値が予め設定（Pre-configure）されることであってもよいし、基地局装置１０又はユーザ装置２０から通知される無線パラメータが設定されることであってもよい。
【００１６】
図１は、本発明の実施の形態における無線通信システムを説明するための図である。本発明の実施の形態における無線通信システムは、図１に示されるように、基地局装置１０及びユーザ装置２０を含む。図１には、基地局装置１０及びユーザ装置２０が１つずつ示されているが、これは例であり、それぞれ複数であってもよい。
【００１７】
基地局装置１０は、１つ以上のセルを提供し、ユーザ装置２０と無線通信を行う通信装置である。無線信号の物理リソースは、時間領域及び周波数領域で定義され、時間領域はＯＦＤＭシンボル数で定義されてもよいし、周波数領域はサブキャリア数又はリソースブロック数で定義されてもよい。基地局装置１０は、同期信号及びシステム情報をユーザ装置２０に送信する。同期信号は、例えば、ＮＲ−ＰＳＳ及びＮＲ−ＳＳＳである。システム情報は、例えば、ＮＲ−ＰＢＣＨにて送信され、報知情報ともいう。図１に示されるように、基地局装置１０は、ＤＬ（Downlink）で制御信号又はデータをユーザ装置２０に送信し、ＵＬ（Uplink）で制御信号又はデータをユーザ装置２０から受信する。基地局装置１０及びユーザ装置２０はいずれも、ビームフォーミングを行って信号の送受信を行うことが可能である。また、基地局装置１０及びユーザ装置２０はいずれも、ＭＩＭＯ（Multiple Input Multiple Output）による通信をＤＬ又はＵＬに適用することが可能である。また、基地局装置１０及びユーザ装置２０はいずれも、ＣＡ（Carrier Aggregation）によるＳＣｅｌｌ（Secondary Cell）及びＰＣｅｌｌ（Primary Cell）を介して通信を行ってもよい。
【００１８】
ユーザ装置２０は、スマートフォン、携帯電話機、タブレット、ウェアラブル端末、Ｍ２Ｍ（Machine-to-Machine）用通信モジュール等の無線通信機能を備えた通信装置である。図１に示されるように、ユーザ装置２０は、ＤＬで制御信号又はデータを基地局装置１０から受信し、ＵＬで制御信号又はデータを基地局装置１０に送信することで、無線通信システムにより提供される各種通信サービスを利用する。
【００１９】
図１に示されるように、基地局装置１０は、ＰＤＣＣＨ（Physical Downlink Control Channel）又はＰＤＳＣＨ（Physical Downlink Shared Channel）をユーザ装置２０に送信する。例えば、スケジューリングに係る情報はＰＤＣＣＨを介してユーザ装置２０に送信され、データはＰＤＳＣＨを介してユーザ装置２０に送信される。また、図１に示されるように、ユーザ装置２０は、スケジューリングに係る情報に基づいて、ＰＵＳＣＨ（Physical Downlink Shared Channel）を基地局装置１０に送信する。
【００２０】
図２は、本発明の実施の形態におけるスケジューリングの例を説明するためのシーケンス図である。ＣＯＲＥＳＥＴ（Control Resource Set）によって、ＰＤＣＣＨを受信するためのサーチスペースが設定される。ＰＤＣＣＨによってＰＤＳＣＨ又はＰＵＳＣＨのスケジューリングが行われる。詳細には、ＣＯＲＥＳＥＴは、ＰＤＣＣＨを受信するための周波数領域の無線リソースを設定し、サーチスペースは、時間領域の無線リソースを設定する。当該設定により、ＰＤＣＣＨを受信する周波数領域及び時間領域が特定された無線リソースがユーザ装置２０に設定される。
【００２１】
ステップＳ１０において、基地局装置１０は、ＣＯＲＥＳＥＴを含む情報をユーザ装置２０に送信する。ＣＯＲＥＳＥＴは、報知情報によってユーザ装置２０に送信されてもよいし、個別の制御情報によってユーザ装置２０に送信されてもよい。
【００２２】
ステップＳ１１において、基地局装置１０は、ＰＤＳＣＨのスケジューリングに係る情報をＰＤＣＣＨを介してユーザ装置２０に送信する。ユーザ装置２０は、ステップＳ１０で受信したＣＯＲＥＳＥＴに基づいて、ＰＤＣＣＨを受信するためのサーチスペースを特定する。続いて、基地局装置１０は、ステップＳ１１で送信したスケジューリングに基づくＰＤＳＣＨを介してデータをユーザ装置２０に送信する（Ｓ１２）。すなわち、ユーザ装置２０は、ステップＳ１１で受信したスケジューリングに基づくＰＤＳＣＨを介してデータを基地局装置１０から受信する。
【００２３】
なお、ＰＤＳＣＨではなくＰＵＳＣＨがスケジューリングされてもよい。ステップＳ１３において、基地局装置１０は、ＰＵＳＣＨのスケジューリングに係る情報をＰＤＣＣＨを介してユーザ装置２０に送信する。続いて、ユーザ装置２０は、ステップＳ１１で受信したスケジューリングに基づくＰＵＳＣＨを介してデータを基地局装置１０に送信する（Ｓ１４）。
【００２４】
図３は、本発明の実施の形態におけるクロスキャリアスケジューリングの例を説明するための図である。図３に示されるように、コンポーネントキャリア（ＣＣ：Component carrier）として、ＣＣ＃０、ＣＣ＃１及びＣＣ＃２の３つが設定されている。以降、「ＣＣ」は、「セル」と置換されてもよい。
【００２５】
図３に示されるように、ＣＣ＃０におけるＰＤＣＣＨによるスケジューリングで、ＣＣ＃０におけるＰＤＳＣＨ、ＣＣ＃１におけるＰＤＳＣＨ又はＣＣ＃２におけるＰＤＳＣＨをスケジューリングすることができる。ここで、ＣＣ＃０におけるＰＤＣＣＨによるスケジューリングで、ＣＣ＃１におけるＰＤＳＣＨ又はＣＣ＃２におけるＰＤＳＣＨをスケジューリングする場合が、スケジューリングするＣＣとスケジューリングされるＣＣが異なるためクロスキャリアスケジューリングである。
【００２６】
図４は、本発明の実施の形態におけるＢＷＰに係るスケジューリングの例（１）を説明するための図である。図４において、ＢＷＰ（Bandwidth Part）が導入された場合のスケジューリングの例を説明する。
【００２７】
ＢＷＰは、あるセルのキャリアバンド幅に１又は複数配置される。ＢＷＰ＃０は、イニシャルＢＷＰ（initial BWP）である。イニシャルＢＷＰは、上位レイヤから指定されてもよいし、タイプ０ＰＤＣＣＨコモンサーチスペースのＣＯＲＥＳＥＴの一部で規定されてもよく、接続を確立するとき使用される。使用されるＢＷＰは、アクティブＢＷＰ（active BWP）である。複数のＢＷＰが設定される場合、いずれか１つのＢＷＰのみがアクティブＢＷＰとなる。ＢＷＰに係る非活動タイマが満了したときに使用されるＢＷＰは、デフォルトＢＷＰ（default BWP）である。デフォルトＢＷＰが上位レイヤから指定されない場合、イニシャルＢＷＰがデフォルトＢＷＰとして使用される。ＢＷＰは、セルのＤＬ及びＵＬいずれに設定されてもよい。
【００２８】
図４は、スケジューリングするセル及びスケジューリングされるセルそれぞれにＢＷＰ＃０、ＢＷＰ＃１、及びＢＷＰ＃２の３つのＢＷＰが設定される例である。図４に示されるＢＷＰは、スケジューリングするセル及びスケジューリングされるセルともにＤＬに設定されている。
【００２９】
図４に示されるように、スケジューリングするセルのＢＷＰ＃０に設定されるＳｅａｒｃｈ  ｓｐａｃｅ＃１は、スケジューリングされるセルのＢＷＰ＃０のＰＤＳＣＨ＃１をスケジューリングするＰＤＣＣＨを含む。スケジューリングするセルのＢＷＰ＃０に設定されるＳｅａｒｃｈ  ｓｐａｃｅ＃２は、スケジューリングされるセルのＢＷＰ＃１のＰＤＳＣＨ＃２をスケジューリングするＰＤＣＣＨを含む。スケジューリングするセルのＢＷＰ＃０に設定されるＳｅａｒｃｈ  ｓｐａｃｅ＃３は、スケジューリングされるセルのＢＷＰ＃２のＰＤＳＣＨ＃３をスケジューリングするＰＤＣＣＨを含む。
【００３０】
また、図４に示されるように、スケジューリングするセルのＢＷＰ＃１に設定されるＳｅａｒｃｈ  ｓｐａｃｅ＃４は、スケジューリングされるセルのＢＷＰ＃０のＰＤＳＣＨ＃４をスケジューリングするＰＤＣＣＨを含む。スケジューリングするセルのＢＷＰ＃１に設定されるＳｅａｒｃｈ  ｓｐａｃｅ＃５は、スケジューリングされるセルのＢＷＰ＃１のＰＤＳＣＨ＃５をスケジューリングするＰＤＣＣＨを含む。スケジューリングするセルのＢＷＰ＃０に設定されるＳｅａｒｃｈ  ｓｐａｃｅ＃６は、スケジューリングされるセルのＢＷＰ＃２のＰＤＳＣＨ＃６をスケジューリングするＰＤＣＣＨを含む。
【００３１】
また、図４に示されるように、スケジューリングするセルのＢＷＰ＃２に設定されるＳｅａｒｃｈ  ｓｐａｃｅ＃７は、スケジューリングされるセルのＢＷＰ＃０のＰＤＳＣＨ＃７をスケジューリングするＰＤＣＣＨを含む。スケジューリングするセルのＢＷＰ＃２に設定されるＳｅａｒｃｈ  ｓｐａｃｅ＃８は、スケジューリングされるセルのＢＷＰ＃１のＰＤＳＣＨ＃８をスケジューリングするＰＤＣＣＨを含む。スケジューリングするセルのＢＷＰ＃２に設定されるＳｅａｒｃｈ  ｓｐａｃｅ＃９は、スケジューリングされるセルのＢＷＰ＃１のＰＤＳＣＨ＃９をスケジューリングするＰＤＣＣＨを含む。
【００３２】
上記のように、スケジューリングするセルのある１つのＢＷＰに配置されるサーチスペースと、スケジューリングされるセルの各ＰＤＳＣＨとは、１対１で対応してもよい。
【００３３】
図５は、本発明の実施の形態におけるＢＷＰに係るスケジューリングの例（２）を説明するための図である。図５は、スケジューリングするセル及びスケジューリングされるセルそれぞれにＢＷＰ＃０、ＢＷＰ＃１、及びＢＷＰ＃２の３つのＢＷＰが設定される例である。図５に示されるＢＷＰは、スケジューリングするセル及びスケジューリングされるセルともにＤＬに設定されている。
【００３４】
図５に示されるように、スケジューリングするセルのＢＷＰ＃０に設定されるＳｅａｒｃｈ  ｓｐａｃｅ＃１１は、スケジューリングされるセルのＢＷＰ＃０のＰＤＳＣＨ＃１、スケジューリングされるセルのＢＷＰ＃１のＰＤＳＣＨ＃４及びスケジューリングされるセルのＢＷＰ＃２のＰＤＳＣＨ＃７をスケジューリングするＰＤＣＣＨを含む。
【００３５】
また、図５に示されるように、スケジューリングするセルのＢＷＰ＃１に設定されるＳｅａｒｃｈ  ｓｐａｃｅ＃１２は、スケジューリングされるセルのＢＷＰ＃０のＰＤＳＣＨ＃２、スケジューリングされるセルのＢＷＰ＃１のＰＤＳＣＨ＃５及びスケジューリングされるセルのＢＷＰ＃２のＰＤＳＣＨ＃８をスケジューリングするＰＤＣＣＨを含む。
【００３６】
また、図５に示されるように、スケジューリングするセルのＢＷＰ＃０に設定されるＳｅａｒｃｈ  ｓｐａｃｅ＃１３は、スケジューリングされるセルのＢＷＰ＃０のＰＤＳＣＨ＃３、スケジューリングされるセルのＢＷＰ＃１のＰＤＳＣＨ＃６及びスケジューリングされるセルのＢＷＰ＃２のＰＤＳＣＨ＃９をスケジューリングするＰＤＣＣＨを含む。
【００３７】
上記のように、スケジューリングするセルのある１つのＢＷＰに配置されるサーチスペースは、スケジューリングされるセルの異なるＢＷＰにそれぞれ配置される複数のＰＤＳＣＨに対応してもよい。
【００３８】
図６は、本発明の実施の形態におけるスケジューリング動作例を説明するためのフローチャートである。図６を用いて、クロスキャリアスケジューリング時のユーザ装置２０の動作例を説明する。図２に示されるステップＳ１０はステップＳ１０１及びステップＳ１０２に対応する。また、図２に示されるステップＳ１１はステップＳ１１１に対応する。また、図２に示されるステップＳ１２はステップＳ１２１に対応する。
【００３９】
ステップＳ１０１において、ユーザ装置２０は、クロスキャリアスケジューリング時にスケジューリングするセルからＣＯＲＥＳＥＴを受信する。ＣＯＲＥＳＥＴは、ＰＤＣＣＨを受信するためのサーチスペース及びパラメータに係る情報を含む。
【００４０】
図７は、本発明の実施の形態におけるＣＯＲＥＳＥＴに係る仕様変更例（１）である。図７に示されるＣＯＲＥＳＥＴに含まれる情報要素「ｔｃｉ−ＰｒｅｓｅｎｔＩｎＤＣＩ」は、少なくとも空間ＱＣＬ（Quasi co-location）が設定されている場合、ＴＣＩ（Transmission Configuration Indicator）フィールドが、ＤＬに関連するＤＣＩ（Downlink Control Information）に存在するか否かを示す。「ｔｃｉ−ＰｒｅｓｅｎｔＩｎＤＣＩ」がない場合、ユーザ装置２０はＴＣＩが存在しないか無効であると判断する。ここで、クロスキャリアスケジューリングの場合のスケジューリングするセルにおいて、「ｔｃｉ−ＰｒｅｓｅｎｔＩｎＤＣＩ」は有効とする。すなわち、クロスキャリアスケジューリングの場合のスケジューリングするセルにおいて、ＴＣＩフィールドはＤＬに関連するＤＣＩに存在する。
【００４１】
図８は、本発明の実施の形態におけるＣＯＲＥＳＥＴに係る仕様変更例（２）である。図８に示されるＣＯＲＥＳＥＴに含まれるサーチスペースを示す情報に含まれる情報要素「ｎｒｏｆＣａｎｄｉｄａｔｅｓ」及び「ｓｅａｒｃｈＳｐａｃｅＩｄ」、条件「ＳｅｔｕｐＯｎｌｙ」について以下説明する。
【００４２】
情報要素「ｎｒｏｆＣａｎｄｉｄａｔｅｓ」は、アグリゲーションレベルごとのＰＤＣＣＨ候補の数である。ここで、クロスキャリアスケジューリングにおいて、スケジューリングするセルのサーチスペースに適用されるＰＤＣＣＨ候補の数及びアグリゲーションレベルは、スケジューリングされるセルに設定されるサーチスペースに含まれる「ｎｒｏｆＣａｎｄｉｄａｔｅｓ」によって、サーチスペースのリンクが有効である場合ユーザ装置２０に通知される。
【００４３】
情報要素「ｓｅａｒｃｈＳｐａｃｅＩｄ」は、サーチスペースの識別子である。「ｓｅａｒｃｈＳｐａｃｅＩｄ」＝０は、サーチスペースゼロ（searchSpaceZero）に対応し、ＭＩＢ（Master Information Block）又はＳｅｒｖｉｎｇＣｅｌｌＣｏｎｆｉｇＣｏｍｍｏｎで設定されるため、サーチスペースの情報要素では使用されない。「ｓｅａｒｃｈＳｐａｃｅＩｄ」は、サービングセルの各ＢＷＰにおいてユニークである。ここで、クロスキャリアスケジューリングにおいて、スケジューリングされるセルのサーチスペースは、同一の「ｓｅａｒｃｈＳｐａｃｅＩｄ」を割り当てることにより、スケジューリングするセルのサーチスペースとリンクされる。スケジューリングするセルとスケジューリングされるセル間のサーチスペースのリンクは、サーチスペースが対応するＤＬのＢＷＰがスケジューリングするセル及びスケジューリングされるセルの両方でアクティブである場合のみ有効である。
【００４４】
条件「ＳｅｔｕｐＯｎｌｙ」は、新たなサーチスペースを設定する場合に必須であるフィールドを示す。ここで、クロスキャリアスケジューリングにおいて、「ＳｅｔｕｐＯｎｌｙ」は、スケジューリングするセルに新たなサーチスペースを設定する場合に必須であるフィールドを示し、他の場合は存在しないフィールドであることを示す。スケジューリングされるセルの場合、「ＳｅｔｕｐＯｎｌｙ」は、常に存在しないフィールドであることを示す。例えば、「ＳｅｔｕｐＯｎｌｙ」は、ＣＯＲＥＳＥＴの識別子を示すフィールドに適用されてもよい。
【００４５】
図６に戻る。ステップＳ１０２において、ユーザ装置２０は、受信したＣＯＲＥＳＥＴからスケジューリングするセルのサーチスペースを特定する。ここで、ユーザ装置２０は、ＣＯＲＥＳＥＴに含まれる「ｓｅａｒｃｈＳｐａｃｅＩｄ」に基づいてサーチスペースを特定する。
【００４６】
ステップＳ１１１において、ユーザ装置２０は、特定したスケジューリングするセルのサーチスペースをモニタリングしてＰＤＣＣＨを受信する。ここで、ユーザ装置２０は、ＣＯＲＥＳＥＴに含まれる「ｎｒｏｆＣａｎｄｉｄａｔｅｓ」に基づくアグリゲーションレベルごとのＰＤＣＣＨ候補の数をＰＤＣＣＨのデコードに使用する。
【００４７】
ステップＳ１２１において、ユーザ装置２０は、受信したＰＤＣＣＨに基づいて、スケジューリングされるセルのＰＤＳＣＨを受信する。
【００４８】
なお、クロスキャリアスケジューリングにおいて、スケジューリングされるセルで使用される情報要素「ＰＤＣＣＨ−Ｃｏｎｆｉｇ」は、「ｓｅａｒｃｈＳｐａｃｅｓＴｏＡｄｄＭｏｄＬｉｓｔ」及び「ｓｅａｒｃｈＳｐａｃｅＴｏＲｅｌｅａｓｅＬｉｓｔ」のみが設定されて、それら以外のフィールドを有しなくてもよい。「ｓｅａｒｃｈＳｐａｃｅｓＴｏＡｄｄＭｏｄＬｉｓｔ」及び「ｓｅａｒｃｈＳｐａｃｅｓＴｏＲｅｌｅａｓｅＬｉｓｔ」は、サーチスペースを設定又は解放する情報要素である。
【００４９】
上述の実施例により、ユーザ装置２０は、クロスキャリアスケジューリングにおいて、ＣＯＲＥＳＥＴに含まれるサーチスペースを特定する情報及びＰＤＣＣＨ候補の数に基づいて、スケジューリングするセルのサーチスペースをモニタリングしてＰＤＣＣＨを受信し、当該ＰＤＣＣＨに基づいてスケジューリングされるセルのＰＤＳＣＨを受信することができる。
【００５０】
すなわち、クロスキャリアスケジューリング時に復号処理の効率を向上させることができる。
【００５１】
（装置構成）
次に、これまでに説明した処理及び動作を実行する基地局装置１０及びユーザ装置２０の機能構成例を説明する。基地局装置１０及びユーザ装置２０は上述した実施例を実施する機能を含む。ただし、基地局装置１０及びユーザ装置２０はそれぞれ、実施例の中の一部の機能のみを備えることとしてもよい。
【００５２】
＜基地局装置１０＞
図９は、基地局装置１０の機能構成の一例を示す図である。図９に示されるように、基地局装置１０は、送信部１１０と、受信部１２０と、設定部１３０と、制御部１４０とを有する。図９に示される機能構成は一例に過ぎない。本発明の実施の形態に係る動作を実行できるのであれば、機能区分及び機能部の名称はどのようなものでもよい。
【００５３】
送信部１１０は、ユーザ装置２０側に送信する信号を生成し、当該信号を無線で送信する機能を含む。受信部１２０は、ユーザ装置２０から送信された各種の信号を受信し、受信した信号から、例えばより上位のレイヤの情報を取得する機能を含む。また、送信部１１０は、ユーザ装置２０へＮＲ−ＰＳＳ、ＮＲ−ＳＳＳ、ＮＲ−ＰＢＣＨ、ＤＬ／ＵＬ制御信号、ＤＬ／ＵＬデータ信号等を送信する機能を有する。
【００５４】
設定部１３０は、予め設定される設定情報、及び、ユーザ装置２０に送信する各種の設定情報を記憶装置に格納し、必要に応じて記憶装置から読み出す。設定情報の内容は、例えば、ユーザ装置２０のサーチスペースに係る設定、スケジューリングに係る設定等である。
【００５５】
制御部１４０は、実施例において説明したように、ユーザ装置２０にスケジューリングを行い、下りデータの送信及び上りデータの受信を制御する。制御部１４０における信号送信に関する機能部を送信部１１０に含め、制御部１４０における信号受信に関する機能部を受信部１２０に含めてもよい。
【００５６】
＜ユーザ装置２０＞
図１０は、ユーザ装置２０の機能構成の一例を示す図である。図１０に示されるように、ユーザ装置２０は、送信部２１０と、受信部２２０と、設定部２３０と、制御部２４０とを有する。図１０に示される機能構成は一例に過ぎない。本発明の実施の形態に係る動作を実行できるのであれば、機能区分及び機能部の名称はどのようなものでもよい。
【００５７】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１０から送信されるＮＲ−ＰＳＳ、ＮＲ−ＳＳＳ、ＮＲ−ＰＢＣＨ、ＤＬ／ＵＬ／ＳＬ制御信号等を受信する機能を有する。また、例えば、送信部２１０は、Ｄ２Ｄ通信として、他のユーザ装置２０に、ＰＳＣＣＨ（Physical Sidelink Control Channel）、ＰＳＳＣＨ（Physical Sidelink Shared Channel）、ＰＳＤＣＨ（Physical Sidelink Discovery Channel）、ＰＳＢＣＨ（Physical Sidelink Broadcast Channel）等を送信し、受信部１２０は、他のユーザ装置２０から、ＰＳＣＣＨ、ＰＳＳＣＨ、ＰＳＤＣＨ又はＰＳＢＣＨ等を受信する。
【００５８】
設定部２３０は、受信部２２０により基地局装置１０又はユーザ装置２０から受信した各種の設定情報を記憶装置に格納し、必要に応じて記憶装置から読み出す。また、設定部２３０は、予め設定される設定情報も格納する。設定情報の内容は、例えば、ユーザ装置２０のサーチスペースに係る設定、スケジューリングに係る設定等である。
【００５９】
制御部２４０は、実施例において説明したように、基地局装置１０から取得したスケジューリングに基づいて、下りデータの受信及び上りデータの送信を制御する。また、制御部２４０は、制御情報を受信するためのサーチスペースに係る制御を実行する。制御部２４０における信号送信に関する機能部を送信部２１０に含め、制御部２４０における信号受信に関する機能部を受信部２２０に含めてもよい。
【００６０】
（ハードウェア構成）
上記実施形態の説明に用いたブロック図（図９及び図１０）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００６１】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００６２】
例えば、本開示の一実施の形態における基地局装置１０、ユーザ装置２０等は、本開示の無線通信方法の処理を行うコンピュータとして機能してもよい。図１１は、本開示の一実施の形態に係る基地局装置１０及びユーザ装置２０のハードウェア構成の一例を示す図である。上述の基地局装置１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００６３】
なお、以下の説明では、「装置」という文言は、回路、デバイス、ユニット等に読み替えることができる。基地局装置１０及びユーザ装置２０のハードウェア構成は、図に示した各装置を１つ又は複数含むように構成されてもよいし、一部の装置を含まずに構成されてもよい。
【００６４】
基地局装置１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００６５】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。例えば、上述の制御部１４０、制御部２４０等は、プロセッサ１００１によって実現されてもよい。
【００６６】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図９に示した基地局装置１０の制御部１４０は、記憶装置１００２に格納され、プロセッサ１００１で動作する制御プログラムによって実現されてもよい。また、例えば、図１０に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００６７】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００６８】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。上述の記憶媒体は、例えば、記憶装置１００２及び補助記憶装置１００３の少なくとも一方を含むデータベース、サーバその他の適切な媒体であってもよい。
【００６９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インターフェース等は、通信装置１００４によって実現されてもよい。送受信部は、送信部と受信部とで、物理的に、または論理的に分離された実装がなされてもよい。
【００７０】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００７１】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００７２】
また、基地局装置１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００７３】
（実施の形態のまとめ）
以上、説明したように、本発明の実施の形態によれば、クロスキャリアスケジューリングにおけるスケジューリングするセルから制御リソースセットを受信し、前記制御リソースセットに基づいて、前記スケジューリングするセルのサーチスペースを特定し、スケジューリングされるセルに設定されるサーチスペースから取得するＰＤＣＣＨ（Physical Downlink Control Channel）候補の数を使用して、前記スケジューリングするセルのサーチスペースに含まれるＰＤＣＣＨを復号する制御部と、前記復号されたＰＤＣＣＨに基づいて、クロスキャリアスケジューリングにおけるスケジューリングされるセルからＰＤＳＣＨ（Physical Downlink Shared Channel）を受信する受信部とを有するユーザ装置が提供される。
【００７４】
上記の構成により、ユーザ装置２０は、クロスキャリアスケジューリングにおいて、ＣＯＲＥＳＥＴに含まれるサーチスペースを特定する情報及びＰＤＣＣＨ候補の数に基づいて、スケジューリングするセルのサーチスペースをモニタリングしてＰＤＣＣＨを受信し、当該ＰＤＣＣＨに基づいてスケジューリングされるセルのＰＤＳＣＨを受信することができる。すなわち、クロスキャリアスケジューリング時に復号処理の効率を向上させることができる。
【００７５】
前記スケジューリングするセルと前記スケジューリングされるセル間のサーチスペースのリンクが有効である場合に、前記スケジューリングされるセルに設定されるサーチスペースからＰＤＣＣＨ候補の数を取得してもよい。当該構成により、ユーザ装置２０は、クロスキャリアスケジューリングにおいて、サーチスペースのリングが有効である場合に、ＰＤＣＣＨ候補の数を取得して復号処理の効率を向上させることができる。
【００７６】
前記スケジューリングされるセルに適用されるＰＤＣＣＨを設定する情報は、サーチスペースに係る情報のみが含まれてもよい。当該構成により、ユーザ装置２０は、クロスキャリアスケジューリングにおいて、スケジューリングされるセルにおいて不要な情報を取得しないようにして通信効率を向上させることができる。
【００７７】
前記スケジューリングするセルのＢＷＰ（Bandwidth Part）ごとに、前記スケジューリングされるセルの各ＢＷＰのＰＤＳＣＨに１対１で対応するＰＤＣＣＨを含む複数のサーチスペースが設定されてもよい。当該構成により、ユーザ装置２０は、クロスキャリアスケジューリングにおいて、複数のＢＷＰ間で、柔軟にスケジューリングを行うことができる。
【００７８】
前記スケジューリングするセルのＢＷＰ（Bandwidth Part）ごとに、前記スケジューリングされるセルの各ＢＷＰのＰＤＳＣＨに対応する複数のＰＤＣＣＨを含む１つのサーチスペースが設定されてもよい。当該構成により、ユーザ装置２０は、クロスキャリアスケジューリングにおいて、複数のＢＷＰ間で、１つのサーチスペースを使用してスケジューリングを行うことができる。
【００７９】
また、本発明の実施の形態によれば、クロスキャリアスケジューリングにおけるスケジューリングするセルにおいて制御リソースセットを送信し、前記制御リソースセットに基づいて、前記スケジューリングするセルのサーチスペースを設定し、スケジューリングされるセルに設定されるサーチスペースにおいてＰＤＣＣＨ（Physical Downlink Control Channel）候補の数をユーザ装置に送信し、前記スケジューリングするセルのサーチスペースに含まれるＰＤＣＣＨを前記ユーザ装置に送信する制御部と、前記ＰＤＣＣＨに基づいて、クロスキャリアスケジューリングにおけるスケジューリングされるセルにおいてＰＤＳＣＨ（Physical Downlink Shared Channel）を前記ユーザ装置に送信する送信部とを有する基地局装置が提供される。
【００８０】
上記の構成により、ユーザ装置２０は、クロスキャリアスケジューリングにおいて、ＣＯＲＥＳＥＴに含まれるサーチスペースを特定する情報及びＰＤＣＣＨ候補の数に基づいて、スケジューリングするセルのサーチスペースをモニタリングしてＰＤＣＣＨを受信し、当該ＰＤＣＣＨに基づいてスケジューリングされるセルのＰＤＳＣＨを受信することができる。すなわち、クロスキャリアスケジューリング時に復号処理の効率を向上させることができる。
【００８１】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１０及びユーザ装置２０は機能的なブロック図を用いて説明されたが、そのような装置はハードウェアで、ソフトウェアで又はそれらの組み合わせで実現されてもよい。本発明の実施の形態に従って基地局装置１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８２】
また、情報の通知は、本開示で説明した態様／実施形態に限られず、他の方法を用いて行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００８３】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００８４】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【００８５】
本明細書において基地局装置１０によって行われるとした特定動作は、場合によってはその上位ノード（upper node）によって行われることもある。基地局装置１０を有する１つ又は複数のネットワークノード（network nodes）からなるネットワークにおいて、ユーザ装置２０との通信のために行われる様々な動作は、基地局装置１０及び基地局装置１０以外の他のネットワークノード（例えば、ＭＭＥ又はＳ−ＧＷ等が考えられるが、これらに限られない）の少なくとも１つによって行われ得ることは明らかである。上記において基地局装置１０以外の他のネットワークノードが１つである場合を例示したが、他のネットワークノードは、複数の他のネットワークノードの組み合わせ（例えば、ＭＭＥ及びＳ−ＧＷ）であってもよい。
【００８６】
本開示において説明した情報又は信号等は、上位レイヤ（又は下位レイヤ）から下位レイヤ（又は上位レイヤ）へ出力され得る。複数のネットワークノードを介して入出力されてもよい。
【００８７】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００８８】
本開示における判定は、１ビットで表される値（０か１か）によって行われてもよいし、真偽値（Boolean：true又はfalse）によって行われてもよいし、数値の比較（例えば、所定の値との比較）によって行われてもよい。
【００８９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００９１】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９２】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００９３】
本開示において使用する「システム」及び「ネットワーク」という用語は、互換的に使用される。
【００９４】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００９５】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００９６】
本開示においては、「基地局（ＢＳ：Base  Station）」、「無線基地局」、「基地局装置」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００９７】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００９８】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【００９９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１００】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１０１】
また、本開示における基地局は、ユーザ端末で読み替えてもよい。例えば、基地局及びユーザ端末間の通信を、複数のユーザ装置２０間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局装置１０が有する機能をユーザ装置２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１０２】
同様に、本開示におけるユーザ端末は、基地局で読み替えてもよい。この場合、上述のユーザ端末が有する機能を基地局が有する構成としてもよい。
【０１０３】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１０４】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１０５】
参照信号は、ＲＳ（Reference  Signal）と略称することもでき、適用される標準によってパイロット（Pilot）と呼ばれてもよい。
【０１０６】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０７】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１０８】
上記の各装置の構成における「手段」を、「部」、「回路」、「デバイス」等に置き換えてもよい。
【０１０９】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１１０】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジ（numerology）に依存しない固定の時間長（例えば、１ｍｓ）であってもよい。
【０１１１】
ニューメロロジは、ある信号又はチャネルの送信及び受信の少なくとも一方に適用される通信パラメータであってもよい。ニューメロロジは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１１２】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジに基づく時間単位であってもよい。
【０１１３】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１１４】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１１５】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１１６】
ここで、ＴＴＩは、例えば、無線通信におけるスケジューリングの最小時間単位のことをいう。例えば、ＬＴＥシステムでは、基地局が各ユーザ装置２０に対して、無線リソース（各ユーザ装置２０において使用することが可能な周波数帯域幅、送信電力など）を、ＴＴＩ単位で割り当てるスケジューリングを行う。なお、ＴＴＩの定義はこれに限られない。
【０１１７】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１１８】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１１９】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１２０】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１２１】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジに関わらず同じであってもよく、例えば１２であってもよい。ＲＢに含まれるサブキャリアの数は、ニューメロロジに基づいて決定されてもよい。
【０１２２】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１２３】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１２４】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１２５】
帯域幅部分（ＢＷＰ：Bandwidth  Part）（部分帯域幅などと呼ばれてもよい）は、あるキャリアにおいて、あるニューメロロジ用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１２６】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１２７】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１２８】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１２９】
本開示において、例えば、英語でのa,  an及びtheのように、翻訳により冠詞が追加された場合、本開示は、これらの冠詞の後に続く名詞が複数形であることを含んでもよい。
【０１３０】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１３１】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１３２】
なお、本開示において、ＣＯＲＥＳＥＴは、制御リソースセットの一例である。ＰＤＣＣＨ−Ｃｏｎｆｉｇは、ＰＤＣＣＨを設定する情報の一例である。
【０１３３】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【０１３４】
１０        基地局装置
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020157873.tif 000003
【図２】
2020157873.tif 000004
【図３】
2020157873.tif 000005
【図４】
2020157873.tif 000006
【図５】
2020157873.tif 000007
【図６】
2020157873.tif 000008
【図７】
2020157873.tif 000009
【図８】
2020157873.tif 000010
【図９】
2020157873.tif 000011
【図１０】
2020157873.tif 000012
【図１１】
2020157873.tif 000013
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
ＰＤＣＣＨ（Physical Downlink Control Channelを受信するための情報に含まれる、クロスキャリアスケジューリングによってスケジューリングされる第１のセルに対するサーチスペースに、ＰＤＣＣＨ候補の数を含む情報要素が設定される場合、前記情報要素に基づいてアグリゲーションレベルごとのＰＤＣＣＨ候補の数を前記第１のセルをスケジューリングする第２のセルに使用する制御部と、
前記アグリゲーションレベルごとのＰＤＣＣＨ候補の数を使用して復号される前記第２のセルのサーチスペースに含まれるＰＤＣＣＨに基づいて、前記第１のセルからＰＤＳＣＨ（Physical Downlink Shared Channel）を受信する受信部とを有するユーザ装置。
【請求項２】
前記ＰＤＣＣＨを受信するための情報が前記第１のセルで使用される場合、サーチスペースを設定及び解放する情報のみが前記ＰＤＣＣＨを受信するための情報に含まれる請求項１記載のユーザ装置。
【請求項３】
ＰＤＣＣＨ（Physical Downlink Control Channelを受信するための情報に含まれる、クロスキャリアスケジューリングによってスケジューリングされる第１のセルに対するサーチスペースに、ＰＤＣＣＨ候補の数を含む情報要素が設定される場合、前記情報要素に基づいてアグリゲーションレベルごとのＰＤＣＣＨ候補の数を、前記第１のセルをスケジューリングする第２のセルに設定する制御部と、
前記アグリゲーションレベルごとのＰＤＣＣＨ候補の数を使用して、前記第２のセルのサーチスペースに含まれるＰＤＣＣＨを送信し、前記第１のセルにおいて前記ＰＤＣＣＨに基づいて受信されるＰＤＳＣＨ（Physical Downlink Shared Channel）を送信する送信部とを有する基地局装置。
【請求項４】
ＰＤＣＣＨ（Physical Downlink Control Channelを受信するための情報に含まれる、クロスキャリアスケジューリングによってスケジューリングされる第１のセルに対するサーチスペースに、ＰＤＣＣＨ候補の数を含む情報要素が設定される場合、前記情報要素に基づいてアグリゲーションレベルごとのＰＤＣＣＨ候補の数を前記第１のセルをスケジューリングする第２のセルに使用するステップと、
前記アグリゲーションレベルごとのＰＤＣＣＨ候補の数を使用して復号される前記第２のセルのサーチスペースに含まれるＰＤＣＣＨに基づいて、前記第１のセルからＰＤＳＣＨ（Physical Downlink Shared Channel）を受信するステップとを有する、ユーザ装置の通信方法。
【請求項５】
ユーザ装置と基地局装置とを備える無線通信システムであって、
前記ユーザ装置は、
ＰＤＣＣＨ（Physical Downlink Control Channelを受信するための情報に含まれる、クロスキャリアスケジューリングによってスケジューリングされる第１のセルに対するサーチスペースに、ＰＤＣＣＨ候補の数を含む情報要素が設定される場合、前記情報要素に基づいてアグリゲーションレベルごとのＰＤＣＣＨ候補の数を前記第１のセルをスケジューリングする第２のセルに使用する制御部と、
前記アグリゲーションレベルごとのＰＤＣＣＨ候補の数を使用して復号される前記第２のセルのサーチスペースに含まれるＰＤＣＣＨに基づいて、前記第１のセルからＰＤＳＣＨ（Physical Downlink Shared Channel）を受信する受信部とを有し、
前記基地局装置は、
ＰＤＣＣＨ（Physical Downlink Control Channelを受信するための情報に含まれる、クロスキャリアスケジューリングによってスケジューリングされる第１のセルに対するサーチスペースに、ＰＤＣＣＨ候補の数を含む情報要素が設定される場合、前記情報要素に基づいてアグリゲーションレベルごとのＰＤＣＣＨ候補の数を、前記第１のセルをスケジューリングする第２のセルに設定する制御部と、
前記アグリゲーションレベルごとのＰＤＣＣＨ候補の数を使用して、前記第２のセルのサーチスペースに含まれるＰＤＣＣＨを送信し、前記第１のセルにおいて前記ＰＤＣＣＨに基づいて受信されるＰＤＳＣＨ（Physical Downlink Shared Channel）を送信する送信部とを有する、無線通信システム。
【国際調査報告】
2020157873.tif 000014
2020157873.tif 000015
2020157873.tif 000016